【手続補正書】
【提出日】平成30年9月12日(2018.9.12)
【手続補正１】
【補正対象書類名】明細書
【補正対象項目名】００１２
【補正方法】変更
【補正の内容】
【００１２】
上記目的を達成するために、本発明の投影装置は、投影面に画像を投影する投影装置であって、前記投影面の色に対応する壁色情報を取得する取得手段と、前記投影面に投影される画像に対する前記投影面の色の影響が低減するように、前記壁色情報に基づく補正処理を入力画像に実行する処理手段と、前記処理手段により補正された前記入力画像に基づいて、前記投影面に画像を投影する投影手段と、を備え、前記処理手段は、前記入力画像に適用可能な前記補正処理の複数のレベルのうち、ユーザに選択されたレベルの前記補正処理を実行することを特徴とする。
【手続補正２】
【補正対象書類名】明細書
【補正対象項目名】００１３
【補正方法】変更
【補正の内容】
【００１３】
また、本発明の投影装置は、投影面に画像を投影する投影装置であって、前記投影面の色に対応する壁色情報を取得する取得手段と、前記投影面に投影される画像に対する前記投影面の色の影響が低減するように、前記壁色情報に基づく複数の補正レベルを決定する決定手段と、光源と光源から供給された光を変調する変調手段を有し入力画像に基づいて前記変調手段を制御して、前記投影面に画像を投影する投影手段と、を備え、前記投影手段は、前記複数のレベルのうち、ユーザに選択されたレベルに応じて前記光源の光量を制御することを特徴とする。
【手続補正３】
【補正対象書類名】明細書
【補正対象項目名】００３０
【補正方法】変更
【補正の内容】
【００３０】
図３は、テストパターンごとに壁色情報取得部３２３が取得したＲＧＢ値とＸＹＺ値測定器が取得したＸＹＺ値との関係を示す図である。図３では、Ｒを投影した場合の壁色情報取得部３２３の取得値をＲＣＡＭＲ，ＧＣＡＭＲ，ＢＣＡＭＲとし、その時のＸＹＺ値測定器の取得ＸＹＺ値をＸＲ，ＹＲ，ＺＲとする。Ｇ，Ｂ，Ｋの各色に対しても、同様に表記する。ここからプロジェクタ３０の黒浮きや外光などの外乱成分（Ｋ投影時の取得ＲＧＢ値ないしＸＹＺ値）を引くと、図３の下側のような表記となる。これらの値の配列より、壁色情報取得部３２３が取得したＲＧＢ値を三刺激値ＸＹＺ値に変換する変換行列式を次式（１）を用いて生成することができる。
【手続補正４】
【補正対象書類名】明細書
【補正対象項目名】００３２
【補正方法】変更
【補正の内容】
【００３２】
ステップＳ２０６では、制御部３１０は、補正値算出部３９０によってＷ投影時の投影面１０３の色の見えが目標色度ｘＷ，ｙＷとなるような壁色補正ゲイン値を算出し、ステップＳ２０７に進む。ここでは、まず、ＲＧＢ各色の光量の混合比率である、Ｒ投影時の光量：Ｇ投影時の光量：Ｂ投影時の光量をα：β：１とし、所望のＷ投影時の投影面１０３の色の見え補正目標色度をｘＷ，ｙＷとする。混合比率は、次式（２）及び（３）の連立方程式を解くことで求めることができる。
【手続補正５】
【補正対象書類名】明細書
【補正対象項目名】００３９
【補正方法】変更
【補正の内容】
【００３９】
以上の処理を経て、投影面１０３の色の見えを目標色度ｘＷ，ｙＷに補正する為のゲイン値を求めることができる。
【手続補正６】
【補正対象書類名】特許請求の範囲
【補正対象項目名】全文
【補正方法】変更
【補正の内容】
【特許請求の範囲】
【請求項１】
投影面に画像を投影する投影装置であって、
前記投影面の色に対応する壁色情報を取得する取得手段と、
前記投影面に投影される画像に対する前記投影面の色の影響が低減するように、前記壁色情報に基づく補正処理を入力画像に実行する処理手段と、
前記処理手段により補正された前記入力画像に基づいて、前記投影面に画像を投影する投影手段と、
を備え、
前記処理手段は、前記入力画像に適用可能な前記補正処理の複数のレベルのうち、ユーザに選択されたレベルの前記補正処理を実行することを特徴とする投影装置。
【請求項２】
前記複数のレベルを前記ユーザが選択するためのユーザーインターフェース画像を生成する生成手段をさらに備え、
前記投影手段は、前記ユーザーインターフェース画像に基づく画像を前記投影面に投影することを特徴とする請求項１に記載の投影装置。
【請求項３】
前記ユーザーインターフェース画像は、前記複数のレベルのうちいずれかを前記ユーザが選択するためのスライドバー画像であることを特徴とする請求項２に記載の投影装置。
【請求項４】
前記ユーザーインターフェース画像は、前記入力画像の複数の領域に対して、前記複数のレベルの互いに異なるレベルで前記補正処理を施した画像であることを特徴とする請求項２に記載の投影装置。
【請求項５】
前記壁色情報に基づいて、前記複数のレベルを設定する設定手段をさらに備えることを特徴とする請求項１乃至請求項４のいずれか１項に記載の投影装置。
【請求項６】
前記設定手段は、前記入力画像の赤色、緑色、および青色それぞれに対して複数のレベルを設定することを特徴とする請求項５に記載の投影装置。
【請求項７】
前記補正処理は、前記入力画像の階調値に対してゲイン値を適用する処理であって、
前記複数のレベルは、複数のゲイン値であることを特徴とする請求項１乃至請求項６のいずれか１項に記載の投影装置。
【請求項８】
投影面に画像を投影する投影装置であって、
前記投影面の色に対応する壁色情報を取得する取得手段と、
前記投影面に投影される画像に対する前記投影面の色の影響が低減するように、前記壁色情報に基づく複数の補正レベルを決定する決定手段と、
光源と光源から供給された光を変調する変調手段を有し入力画像に基づいて前記変調手段を制御して、前記投影面に画像を投影する投影手段と、
を備え、
前記投影手段は、前記複数のレベルのうち、ユーザに選択されたレベルに応じて前記光源の光量を制御することを特徴とする投影装置。
【請求項９】
投影面に画像を投影する投影装置の制御方法であって、
前記投影面の色に対応する壁色情報を取得する取得工程と、
前記投影面に投影される画像に対する前記投影面の色の影響が低減するように、前記壁色情報に基づく補正処理を入力画像に実行する処理工程と、
前記処理工程により補正された前記入力画像に基づいて、前記投影面に画像を投影する投影工程と、
を備え、
前記処理工程は、前記入力画像に適用可能な前記補正処理の複数のレベルのうち、ユーザに選択されたレベルの前記補正処理を実行することを特徴とする投影装置の制御方法。
【請求項１０】
前記複数のレベルを前記ユーザが選択するためのユーザーインターフェース画像を生成する生成工程をさらに備え、
前記投影工程は、前記ユーザーインターフェース画像に基づく画像を前記投影面に投影することを特徴とする請求項９に記載の投影装置の制御方法。
【請求項１１】
前記ユーザーインターフェース画像は、前記複数のレベルのうちいずれかを前記ユーザが選択するためのスライドバー画像であることを特徴とする請求項１０に記載の投影装置の制御方法。
【請求項１２】
前記ユーザーインターフェース画像は、前記入力画像の複数の領域に対して、前記複数のレベルの互いに異なるレベルで前記補正処理を施した画像であることを特徴とする請求項１０に記載の投影装置の制御方法。
【請求項１３】
前記壁色情報に基づいて、前記複数のレベルを設定する設定工程をさらに備えることを特徴とする請求項９乃至請求項１２のいずれか１項に記載の投影装置の制御方法。
【請求項１４】
前記設定工程は、前記入力画像の赤色、緑色、および青色それぞれに対して複数のレベルを設定することを特徴とする請求項１３に記載の投影装置の制御方法。
【請求項１５】
前記補正処理は、前記入力画像の階調値に対してゲイン値を適用する処理であって、
前記複数のレベルは、複数のゲイン値であることを特徴とする請求項９乃至請求項１４のいずれか１項に記載の投影装置の制御方法。
【請求項１６】
光源と光源から供給された光を変調する変調手段を有し、投影面に画像を投影する投影装置の制御方法であって、
前記投影面の色に対応する壁色情報を取得する取得工程と、
前記投影面に投影される画像に対する前記投影面の色の影響が低減するように、前記壁色情報に基づく複数の補正レベルを決定する決定工程と、
入力画像に基づいて前記変調手段を制御して前記投影面に画像を投影する投影工程と、
を備え、
前記投影工程は、前記複数のレベルのうち、ユーザに選択されたレベルに応じて前記光源の光量を制御することを特徴とする投影装置の制御方法。